(57)【特許請求の範囲】
【請求項１】
郵便受における箱本体の頂板部および両側板部は金属板を折り曲げ成型され、該両側板部の下端が底板部に接続されており、該頂板部と該両側板部と該底板部の側端に投函物の取り出し開口が形成されている郵便受において、少なくとも該両側板部の側端縁は内方に折り曲げられて対向する側部開口縁が形成され、一方の該側部開口縁の後方には、該側部開口縁の折曲縁を稍越える厚みを有して該側部開口縁後端に接して上下に伸張すると共に該取り出し開口を開閉する扉のヒンジを支持する軸支手段を備えた第一連結部材が固着され、他方の該側部開口縁の後方には、該側部開口縁の折曲縁を稍越える厚みを有して該側部開口縁後端に接して上下に伸張すると共に該扉の開放端側における錠装置の掛け金を係止する受座を備えた第二連結部材が固着され、該第一連結部材および該第二連結部材はいずれも該側部開口縁の折曲縁を稍越える厚みを有する前端縁での位置から後端縁で箱本体の側板部に対し鈍角状に見切るように曲成した曲成内壁が形成されていることを特徴とする郵便受。
【請求項２】
投函物投入口が前記取り出し開口の前記扉に設置されていることを特徴とする請求項１記載の郵便受。
【請求項３】
投函物投入口が前記箱本体における前記取り出し開口と対向する側面に設置されていることを特徴とする請求項１記載の郵便受。
【請求項４】
前記取り出し開口について前記底板部の下部開口縁上面は該底板部上面と同高となるように成型されていることを特徴とする請求項１ないし３のいずれか１項記載の郵便受。
【請求項５】
前記底板部には前記取り出し開口に向けて平行に配設され且つ前記取り出し開口に接近するにしたがって背が低くなるように傾斜する隆起条が形成されていることを特徴とする請求項４記載の郵便受。
【発明の詳細な説明】
【０００１】
【発明の属する技術分野】
本発明は、郵便受、特に集合住宅等に使用して便利な郵便受に関する。
【０００２】
【従来の技術】
金属板を折り曲げて箱本体が構成されている郵便箱は、箱本体を補強するために通常投函物取り出し開口で内向きの断面Ｌ字縁が形成されており、突出するＬ字縁によって投函物や挿入した手指が引っかかり、投函物を取り出し難くなったり不快な手触り感覚を発生したりしている。また外向きのＬ字縁とすれば、箱本体の外側に無駄な空間が増加し、特に集合住宅用の郵便受としては不向きになると共に、取り出し開口における扉軸支手段や扉錠止手段の設置等が困難となる。
【０００３】
【発明が解決しようとする課題】
本発明が解決しようとする課題は、投函物の取り出し開口がコ字状に厚みを保持して折り返される開口縁により郭成された郵便受の箱本体において、投函物の取り出しを行う際に、不快な手触りを生じることなく、また投函物が引っかからずに取り出すことができると共に、開口縁を閉塞する扉軸支手段や扉錠止手段の設置が容易に行えるようにした郵便受を提供することにある。
【０００４】
【課題を解決するための手段】
前記課題を解決するために、本発明の郵便受は、手指や投函物等が引っかかる原因となる内方に折り曲げられた側部開口縁における折曲縁の後端に、側部開口縁の折曲縁を稍越える厚みを有する前端縁での位置から後端縁で箱本体の側板部に対して鈍角状に見切るように曲成した曲成内壁が形成されると共に、扉の取付手段や錠止手段を内蔵した連結部材を固着したものである。
【０００５】
【発明の実施の形態】
本発明は、郵便受における箱本体の頂板部および両側板部は金属板を折り曲げ成型され、該両側板部の下端が底板部に接続されており、該頂板部と該両側板部と該底板部の側端に投函物の取り出し開口が形成されている郵便受において、少なくとも該両側板部の側端縁は内方に折り曲げられて対向する側部開口縁が形成され、一方の該側部開口縁の後方には、該側部開口縁の折曲縁を稍越える厚みを有して該側部開口縁後端に接して上下に伸張すると共に該取り出し開口を開閉する扉のヒンジ軸を支持する軸支手段を備えた第一連結部材が固着され、他方の該側部開口縁の後方には、該側部開口縁の折曲縁を稍越える厚みを有して該側部開口縁後端に接して上下に伸張すると共に該扉の開放端側における錠装置の掛け金を係止する受座を備えた第二連結部材が固着され、該第一連結部材および該第二連結部材はいずれも該側部開口縁の折曲縁を稍越える厚みを有する前端縁での位置から後端縁で箱本体の側板部に対し見切るように曲成した曲成内壁が形成されていることを特徴とする。
【０００６】
投函と取り出しが同じ側で行われる場合には、投函物投入口が前記取り出し開口の前記扉に設置される。
【０００７】
また、投函と取り出しが反対側で行われる場合には、投函物投入口が前記箱本体における前記取り出し開口と対向する側面に設置される。
【０００８】
さらに底板部は別体として製造することができるので、前記取り出し開口について前記底板部の下部開口縁は内向きの折返しのない該底板部と同高となるように成型されていることを特徴とする。
【０００９】
また、投函物をより滑らかに取り出すことができるように、前記底板部には前記取り出し開口に向けて平行に配設され且つ前記取り出し開口に接近するにしたがって背が低くなるように傾斜する数条の隆起条が形成されていることを特徴とする。
【００１０】
【実施例】
本発明の実施例について添付図面を参照して説明する。
図１には本発明にかかる郵便受の斜視図、図２には郵便受の分解斜視図、図３には郵便受の拡大部分横断面図、図４には郵便受の拡大部分縦断面図が示されている。箱本体１において頂板部２および一双の側板部３は金属板特にステンレス鋼板を折り曲げ成型される。頂板部２および両側板部３，３の側端縁はコ字状に厚みを保持して折り返され、頂板部２においては上部開口縁５が、また両側板部３，３においては側部開口縁６，６が形成されている。これらの両側板部３，３および上部開口縁５によって投函物の取り出し開口７の上半部が構成される。両側板部３，３の下端は底板部４に接続されている。底板部４は頂板部２および両側板部３，３とは別体に硬質合成樹脂等で製造されることが好ましく、取り出し開口７の下部を構成する下部開口縁８は内向きの折返しが存在しないのにも拘わらず力学的に十分な強度を保持する厚みを有し、底板部４の下部開口縁８の上面が平滑な底板部４の上面と同高となるように成型される。そして底板部４の上面に、取り出し開口７に向けて平行に配設され且つ取り出し開口７に接近するにしたがって背が低くなるように傾斜する数条の隆起条９が形成されることが好ましい。
【００１１】
投函物の取り出し開口７には、扉１０が設置される。扉１０の一側には、開閉する扉１０の一側を箱本体１に軸支するためのヒンジ軸受１１が取付られ、また扉１０の他側には、閉じた扉１０の施錠をするためのダイアル錠装置１２がその胴部１３を箱本体１側に延長し、側方に掛け金１４を突出させる状態で取り付けられている。扉１０の正面には、開閉蓋付きの投函物投入口１５が設置されている。この実施例では、投函物を投入する側と投函物を取り出す側が同じ場合なので、投函物投入口１５は取り出し開口７を開閉する扉１０に設置されているが、投函物を投入する側が投函物を取り出す側と反対側に位置する郵便受の場合には、投函物投入口１５は取り出し開口７を開閉する扉１０には設置されず、取り出し開口７と反対側で箱本体１を閉塞する背板部１６に設置される。
【００１２】
コ字状に厚みを保持して折り返された一方の側部開口縁６の後方には、該側部開口縁６の折曲縁を稍越える厚みを有して該側部開口縁６後端に接して上下に伸張すると共に扉１０のヒンジ軸受１１を挿通したヒンジ軸１７を支持する軸支手段１８を備えた第一連結部材１９が固着され、また他方の側部開口縁６の後方には、該側部開口縁６の折曲縁を稍越える厚みを有して該側部開口縁６後端に接して上下に伸張すると共に扉１０の開放端側における錠装置１２の掛け金１４を係止する口字状の突起からなる受座２０を前方に備えた第二連結部材２１が固着される。実施例に示す第一連結部材１９および第二連結部材２１は硬質合成樹脂製であって、いずれも側部開口縁６の折曲縁を稍越える厚みを有する前端縁での位置から後端縁で箱本体１の側板部３に対し鈍角状に見切るように曲成した曲成内壁２２が形成されている。
【００１３】
郵便受を組み立てる場合には、一体の頂板部２ならびに側板部３，３と底板部４と背板部１６とを螺子止め（図示していない。）して箱本体１を組み立て、その後に第一連結部材１９および第二連結部材２１をそれぞれの頂部および底部に対し頂板部２および底板部４から取付螺子２３を締め付けることによって取り付けられる。次に扉１０のヒンジ軸受１１に挿通したヒンジ軸１７を第一連結部材１９の軸支手段１８に固定して取り出し開口７に扉１０が軸支される。軸支された扉１０の開放端側における錠装置１２の掛け金１４は第二連結部材２１の口字状の突起からなる受座２０に係止できる位置に配設される。郵便受は単体でも設置されるが、集合住宅等では、図５に示されるように、複数個の郵便受を玄関ロビー等に縦横に積み重ねて設置される。
【００１４】
第一連結部材１９および第二連結部材２１は、いずれも側部開口縁６の折曲縁を稍越える厚みを有する前端縁での位置から後端縁で箱本体１の側板部３に対し鈍角状に見切るように曲成した曲成内壁２２が形成されている。したがって郵便受内の投函物を取り出す場合に、投函物の縁部が側板部３から第一連結部材１９または第二連結部材２１に接触しても、接触箇所はそれぞれ側板部３に対し鈍角状に見切るように曲成した曲成内壁２２であるから投函物が引っかかることがなく、滑らかに投函物を取り出すことができる。また取り出し開口７付近は箱本体１の中では比較的に弱い構造部分となるが第一連結部材１９および第二連結部材２１はいずれも側部開口縁６，６に沿って固着されるので、開口部分の補強に役立つ。さらに扉１０を支持する軸支手段１８の設置加工や、扉１０に設置された錠装置１２の掛け金１４を係止する受座２０の設置加工等を小さい部材である第一連結部材１９および第二連結部材２１に施すことできるので、精度の高い加工を容易に行うことができる。また第一連結部材１９および第二連結部材２１は取付螺子２３を締め付けることによってそれぞれの頂部および底部が頂板部２および底板部４に直接取り付けられているから、軸支手段１８や受座２０に加わる荷重を確実に箱本体１に伝達することができる。
【００１５】
前述したように底板部４の下部開口縁８の上面は平滑な底板部４の上面と同高となるように成型されているので、底板部４から取り出し開口７へ投函物を取り出す場合に、底板部４上面で投函物が引っかかることはない。そして底板部４の上面に、取り出し開口７に向けて平行に配設され且つ取り出し開口７に接近するにしたがって背が低くなるように傾斜する数条の隆起条９が形成されていれば、隆起条９は投函物を底板部４上面から持ち上げることにより、投函物を取り出しやすくし、また隆起条９の傾斜によって投函物を取り出し開口側に引き寄せやすくなる。
【００１６】
【発明の効果】
本発明は、次のような効果を奏する。
Ａ．第一連結部材および第二連結部材は、いずれも側部開口縁の折曲縁を稍越える厚みを有する前端縁での位置から後端縁で箱本体の側板部に対し鈍角状に見切るように曲成した曲成内壁が形成されているから、郵便受内の投函物を取り出す場合に、投函物の縁部が側板部から第一連結部材または第二連結部材に接触しても、接触箇所はそれぞれ側板部に対し鈍角状に見切るように曲成した曲成内壁であるから投函物が引っかかることがなく、滑らかに投函物を取り出すことができる。
Ｂ．取り出し開口付近は箱本体の中では比較的に弱い構造部分となるが、第一連結部材および第二連結部材はいずれも側部開口縁に沿って固着されるので、開口部分の補強に役立つ。
Ｃ．扉を支持する軸支手段の設置加工や、扉に設置された錠装置の掛け金を係止する受座の設置加工等を小さい部材である第一連結部材および第二連結部材に施すことできるので、精度の高い加工を容易に行うことができる。
Ｄ．第一連結部材および第二連結部材は取付螺子を締め付けることによってそれぞれの頂部および底部が頂板部および底板部に直接取り付けられているから、軸支手段や受座に加わる荷重を確実に箱本体に伝達することができる。
【００１７】
Ｅ．底板部の下部開口縁の上面は平滑な底板部の上面と同高となるように成型されているので、底板部から取り出し開口へ投函物を取り出す場合に、底板部上面で投函物が引っかかることはない。
Ｆ．底板部の上面に、取り出し開口に向けて平行に配設され且つ取り出し開口に接近するにしたがって背が低くなるように傾斜する数条の隆起条が形成されていれば、隆起条は投函物を底板部上面から持ち上げることにより、投函物を取り出しやすくし、また隆起条の傾斜によって投函物を取り出し開口側に引き寄せやすくなる。
【図面の簡単な説明】
【図１】  郵便受の斜視図である。
【図２】  郵便受の分解斜視図である。
【図３】  郵便受の拡大部分横断面図である。
【図４】  郵便受の拡大部分縦断面図である。
【図５】  集合状態で設置した郵便受を示す斜視図である。
【符号の説明】
１  箱本体
２  頂板部
３  側板部
４  底板部
６  側部開口縁
７  取り出し開口
８  下部開口縁
９  隆起条
１０  扉
１１  ヒンジ軸受
１２  錠装置
１４  掛け金
１５  投函物投入口
１８  軸支手段
１９  第一連結部材
２０  受座
２１  第二連結部材
２２  曲成内壁
【図１】
0003904477.tif 000002
【図２】
0003904477.tif 000003
【図３】
0003904477.tif 000004
【図４】
0003904477.tif 000005
【図５】
0003904477.tif 000006